(57)【要約】送信局によって暗号化された伝送情報を復号化するシステムは、受信器に埋め込まれた第１の条件付きアクセスモジュールと、前記受信器から着脱可能な第２の条件付きアクセスモジュールとを持つ受信器を含む。前記第１の条件付きアクセスモジュールは前記送信局によって送信された第１の信号を復号化し、前記第２の条件付きアクセスモジュールは前記送信局によって送信された第２の信号を復号化する。前記第１及び第２の信号は別個の条件付きアクセスモジュールによって暗号化される。前記送信局は、前記受信器が前記伝送情報を復号化する権利があることを前記送信局によって確認すると、前記受信器が伝送信号を復号化することを可能とする権利コードを前記受信器に供給する。
2005500752.tif 000002
【特許請求の範囲】
【請求項１】
少なくとも第１の信号及び第２の信号の暗号化された伝送情報を復号化するシステムであって、
前記少なくとも第１の信号及び第２の信号の伝送情報を受信する受信器を有し、前記受信器は前記第１の送信された信号を復号化するための第１の埋め込まれた条件付きアクセスモジュールと、前記第２の送信された信号を復号化するための第２の着脱可能な条件付きアクセスモジュールとを持ち、
前記第２の条件付きアクセスモジュールは、前記第２の条件付きアクセスモジュールがイネーブルである場合には前記第１の条件付きアクセスモジュールに優先するように構成されるシステム。
【請求項２】
前記第１の条件付きアクセスモジュールによって第１の復号化アルゴリズムが利用され、前記第２の条件付きアクセスモジュールによって第２の復号化アルゴリズムが利用され、前記第１及び第２の復号化アルゴリズムは互いに異なる、請求項１に記載のシステム。
【請求項３】
前記受信器は少なくとも１つの付加的な着脱可能な条件付アクセスモジュールを有し、各前記付加的な着脱可能な条件付きアクセスモジュールは、互いに及び前記第２の着脱可能な条件付きアクセスモジュールとは異なる復号化アルゴリズムを持つ、請求項２に記載のシステム。
【請求項４】
前記受信器によって受信される前記第１の信号は第１の暗号化アルゴリズムを用いて暗号化され、前記受信器によって受信される前記第２の信号は第２の暗号化アルゴリズムを用いて暗号化される、請求項１に記載のシステム。
【請求項５】
前記第２の条件付きアクセスモジュールは、送信された権利コードの受信の後、前記第２の信号を復号化するように構成される、請求項１に記載のシステム。
【請求項６】
１以上の前記付加的な着脱可能な条件付きアクセスモジュールをイネーブルにすることは、前記第１の条件付きモジュールの無効化を引き起こし、また前記第２の及び付加的な着脱可能な条件付きアクセスモジュールのうちの１つ以外のもの全ての無効化を引き起こす、請求項１に記載のシステム。
【請求項７】
前記第１の条件付きアクセスモジュールはデフォルトの条件付きアクセスモジュールである、請求項１に記載のシステム。
【請求項８】
前記第２の条件付きアクセスモジュールは、前記第２の条件付きアクセスモジュールを前記受信器に挿入することによってイネーブルにされる、請求項１に記載のシステム。
【請求項９】
前記受信器は、前記第２の条件付きアクセスモジュールを前記受信器と係合させ、前記第２の条件付きアクセスモジュールを前記受信器と接続させる標準的なインタフェースを有する、請求項１に記載のシステム。
【請求項１０】
前記受信器は更に、前記第２の条件付きアクセスモジュールがイネーブルにされると、前記第２の信号を復号化するために前記受信器を初期化する初期化モジュールを有する、請求項１に記載のシステム。
【請求項１１】
前記システムは更に送信器を有し、前記第２の信号を復号化するために前記受信器を初期化した後、前記初期化モジュールが、前記受信器が前記第２の信号を受信する準備ができていることを示す信号を前記送信器に送信させる、請求項１０に記載のシステム。
【請求項１２】
受信器に暗号化された伝送情報を送信する送信局であって、前記送信局は、
第１の信号を暗号化するための第１の条件付きアクセスモジュール、及び第２の信号を暗号化するための第２の条件付きアクセスモジュールを持つ、少なくとも１つのヘッドエンドを持ち、
前記ヘッドエンドは更に、受信器が前記第２の信号を復号化する権利を持つか否かを決定するための権利化モジュールを持ち、
前記権利化モジュールによる肯定的な決定の際に、前記送信局は前記受信器が前記第２の信号を復号化することを可能とするために前記受信器に権利コードを送信する送信局。
【請求項１３】
前記ヘッドエンドの前記第１及び第２の条件付きアクセスモジュールは、前記第１及び第２の信号を暗号化するためにそれぞれ異なるアルゴリズムを利用する、請求項１２に記載の送信局。
【請求項１４】
前記受信器が前記第２の信号を受信し復号化する準備ができていることを示すメッセージを前記受信器から受信すると、前記受信器が前記第２の信号を復号化する権利を持つか否かを決定する、請求項１２に記載の送信局。
【請求項１５】
前記少なくとも１つのヘッドエンドは複数の信号を暗号化するための複数の条件付きモジュールを有し、各前記条件付きモジュールは暗号化のために異なるアルゴリズムを利用し、前記権利化モジュールは前記複数の信号のそれぞれを復号化する前記受信器の権利を個別に決定する、請求項１２に記載の送信局。
【請求項１６】
少なくとも第１の信号及び第２の信号の暗号化された伝送情報を受信する受信器であって、
前記第１の信号を復号化するための第１の埋め込まれた条件付きアクセスモジュールと、
前記第２の信号を復号化するための第２の着脱可能な条件付きアクセスモジュールと、
を有し、前記第２の条件付きアクセスモジュールは、前記第２のアクセスモジュールがイネーブルである場合には前記第１の条件付きアクセスモジュールに優先するように構成される受信器。
【発明の詳細な説明】
【技術分野】
【０００１】
本発明は暗号化された伝送情報の復号化に関し、より詳細には暗号化された伝送情報へのハイブリッドな条件付きアクセスを受信器に提供するシステム、装置及び方法に関する。
【背景技術】
【０００２】
ケーブルテレビジョン（ＣＡＴＶ）サービスのプロバイダは、ケーブルを介して契約者に信号を送信する。前記信号は、該信号の周波数範囲内に分散された複数のチャネルを含む。ＣＡＴＶサービスのプロバイダは典型的に該プロバイダの伝送信号を、該信号を非契約者が利用することを防ぐために暗号化する。契約者のＴＶ又はＶＣＲが前記信号を利用するために、前記信号を受信し、前記信号を復号化し、チャネルを選択する手段が備えられる必要がある。備えられる手段は典型的に、セットトップボックスとして知られる装置である。セットトップボックスは、ＣＡＴＶサービスのプロバイダによって送信される信号を受信するためにケーブルに接続される。セットトップボックスは更に、表示する準備のできた信号を供給するために契約者のＴＶ又はＶＣＲに接続される。セットトップボックスは典型的にナビゲーション機能とセキュリティ機能とを備える。ナビゲーション機能は、受信された信号内でチャネルをナビゲートし選択するためのものである。セキュリティ機能は受信された信号を復号化するものである。セットトップボックスのセキュリティ機能は、ＣＡＴＶサービスのプロバイダによって提供されるサービスへの、契約者の該セットトップボックスの権利を決定する条件付きアクセス（ＣＡ）システムの一部である。
【０００３】
米連邦通信委員会（ＦＣＣ）によって指定された法によれば、前記ナビゲーション機能は前記セキュリティ機能と分離されていなければならない。このことは典型的に、セットトップボックス内に埋め込まれた個別の常設セキュリティ機能か、又は該セットトップボックスと連結するスマートカード（smart card）の形での着脱可能なセキュリティ機能かのいずれかを持つセットトップボックスによって実現されてきた。
【発明の開示】
【発明が解決しようとする課題】
【０００４】
埋め込まれたセキュリティ機能のみを持つセットトップボックスを提供することには不利点がある。セットトップボックス中のセキュリティ機能は固定されている。制御アクセスシステム内の重要な特徴が変更された場合、該セットトップボックス内のセキュリティ機能は機能しないものとなる。例えば、ケーブルサービスのプロバイダは利用される暗号化方法を定期的に変更するかも知れず、また該サービスの契約者に特定のチャネルへの異なるレベルの権利を提供又は要求するかも知れない。権利を与える方法又は暗号化方法における変更に適応するため、異なるセキュリティ機能を持つ新たなセットトップボックスが元のものと取り替えられる必要がある。更に、各セットトップボックスはＣＡＴＶサービスのプロバイダによって規定されるようにオーダーメイドとなる必要があり、従って高い製造コストを招く。
【０００５】
着脱可能なセキュリティ機能を持つセットトップボックスを提供することは、セットトップボックスの該セキュリティ機能を取り替えることなく変更する能力を提供する。更に、標準的なセットトップボックスは種々のＣＡＴＶサービスのプロバイダについて利用されることができ、従って製造コストを低下させる。しかしながら、セキュリティ機能を提供する着脱可能なモジュールのみを持つセットトップボックスを提供することには不利点がある。着脱可能なモジュールの不在又は離脱の際には、前記セットトップボックスは前記ナビゲート機能を解除し、受信された伝送情報のいずれもの復号化が不能となる。該着脱可能なモジュールなしでは、前記セットトップボックスは価値の高くない暗号化されていないコンテンツであるコンテンツを提示することができるのみである。
【０００６】
「Video Signal Decoder System」と題された欧州特許出願番号０５８５８３３Ａ１は、セットトップボックスが２つのセキュリティ機能モジュール、即ち埋め込まれたセキュリティ機能モジュールと該ボックスと連結する交換可能なスマートカード・セキュリティ機能モジュールとを含む、デコードビデオシステムのためのセットトップボックスを開示している。しかしながら、該開示されたボックスは、多くの不利点を持つ。信号の受信の際に、復号化が前記セキュリティ機能の１つによって実行される。前記セキュリティ機能モジュールは、試行錯誤法を介して前記ボックスによって選択される。前記埋め込まれたセキュリティ機能モジュールは最初に選択のためにテストされ、次に前記スマートカードがテストされる。前記受信された信号の暗号化アルゴリズムに対応する復号化アルゴリズムをどちらが持っているかに依存して選択された、前記埋め込まれたセキュリティ機能か又は前記スマートカード・セキュリティ機能かのいずれかの前記セキュリティ機能モジュールである。かくして、復号化を実行するための一方のセキュリティ機能モジュールの選択は、前記ボックスによって受信された信号に従って為され、他方のセキュリティ機能モジュールはディスエーブルにされる。前記ボックスはかくして、デフォルトのセキュリティ機能モジュールを提供しない。前記ボックスは前記受信された伝送情報への異なるレベルのアクセスを可能としない。
【０００７】
米国特許番号５，７４２，６８０は、受信された信号の復号化を提供するセットトップボックスであって、前記信号が複数の送信器から選択された送信器によって送信され、複数のスマートカード・セキュリティ機能モジュールのうちの対応するスマートカードによって復号化が実行されるセットトップボックスを開示している。該ボックスは埋め込みセキュリティ機能モジュールを含まない。前記選択された信号に対応するスマートカードがないと、前記セットトップボックスは暗号化を実行することができない。
【０００８】
上述した参照においては、いずれのスマートカードの所有者も、いずれの互換性のあるセットトップボックスに該スマートカードを利用することができる。しかしながら、送信された信号のプロバイダはしばしば、契約者に属するセットトップボックスへの該プロバイダの信号の復号化を制限することに利点を見出す。更に、上述の参照は前記送信された信号を復号化するための権利のチェックを提供しないし、もはや権利のないセキュリティ機能モジュールをディスエーブルにもしない。権利のない復号化を防ぐために、信号伝送のプロバイダは前記送信される信号の暗号化アルゴリズムを変更する必要がある。このことは、全ての権利のある顧客に新たなスマートカードの配布を必要とする。
【０００９】
欧州特許出願０５７０７８５Ａ１は、スマートカードを利用した、規定された地理的な位置において送信される信号の復号化を可能とする方法を開示している。しかしながら、このことを実現するために、上述の方法は少なくとも２つの個別のプロセッサによって受信されるべき、少なくとも２つのデータチャネルの送信を必要とする。
【００１０】
本発明の目的は、送信局から暗号化された伝送情報を受信し復号化する受信器であって、前記受信器は、デフォルトの埋め込まれたセキュリティ機能モジュールと、前記伝送情報への付加的なレベルのアクセスを提供するための着脱可能なセキュリティ機能モジュールとを持ち、ここで前記デフォルトのモードは前記着脱可能なセキュリティ機能モジュールの利用可能性にかかわらず動作可能である受信器を提供することにある。
【００１１】
本発明の他の目的は、送信システムからの暗号化された伝送情報への受信器によるアクセスを提供し、前記受信器はデフォルトのレベルを含めた種々のレベルの伝送情報へのアクセスを可能とされるシステム及び方法を提供することにある。
【００１２】
本発明の他の目的は、送信システムからの暗号化された伝送情報への受信器によるアクセスを、ユーザ及び受信器のうちの１つの前記伝送情報への権利に従って提供するシステム及び方法を提供することにある。
【００１３】
本発明の他の目的は、製造及び配布に効率が良く、一方で最大のサービスを提供する受信器及びセキュリティ機能モジュールを提供するシステム及び方法を提供することにある。
【課題を解決するための手段】
【００１４】
上述の目的を達成するため、本発明による送信局からの暗号化された伝送情報を受信及び復号化するシステムは、前記伝送情報を受信し、選択可能な第１及び第２のセキュリティ機能モジュールと初期化モジュールを持つ受信器を含む。前記第１のセキュリティ機能モジュールは前記受信器内に埋め込まれ、前記伝送の第１の信号が復号化されるデフォルトの復号化モードを提供する。前記第２のセキュリティ機能モジュールは前記受信器から着脱可能であり、前記伝送の第２の信号を復号化する。セキュリティ機能モジュールの選択の際、前記初期化モジュールが、前記選択されたセキュリティ機能モジュールを用いて受信された信号を復号化し、該選択を前記送信局に通知するために前記受信器を初期化する。前記システムは更に、前記第１及び第２の信号を暗号化する、前記送信局のヘッドエンドに存する個別のセキュリティモジュールを含む。前記送信局は、前記第１及び第２の信号を受信する前記受信器の権利を確認し、前記受信器の前記選択されたセキュリティ機能が対応する信号を復号化することを可能にする権利コードを前記受信器に供給する。
【００１５】
本出願はまた、前記送信局から受信器に送信された暗号化された伝送信号を復号化する方法であって、前記送信局によって伝送信号を送信するステップと、前記伝送信号の第１の信号を受信するステップと、前記受信器内に埋め込まれた第１のセキュリティ機能モジュールによって前記第１の信号を復号化するステップと、前記受信器に連結された第２の条件付きアクセスモジュールをイネーブルにするステップと、前記第１のセキュリティ機能モジュールによって前記第１の信号の復号化を中止するステップと、前記受信器において前記伝送信号の第２の信号を受信するステップと、前記第２の条件付きアクセスモジュールによって前記第２の信号を復号化するステップと、を有する方法を開示する。
【００１６】
本発明はまた一般的に、少なくとも第１の信号及び第２の信号の暗号化された伝送信号を復号化するためのシステムを提供する。前記システムは、少なくとも前記第１の信号及び第２の信号の伝送信号を受信する受信器を有する。前記受信器は、前記第１の送信された信号を復号化する第１の埋め込まれた条件付きアクセスモジュールと、前記第２の送信された信号を復号化する第２の着脱可能な条件付きアクセスモジュールとを持つ。前記第２の条件付きアクセスモジュールをイネーブルにすることは、前記第２の条件付きアクセスモジュールに前記第１の条件型モジュールに優先させる。
【００１７】
本発明はまた一般に、暗号化された伝送信号を受信器に送信する送信局を有する。前記送信局は、第１の信号を暗号化するための第１の条件付きアクセスモジュールと、第２の信号を暗号化するための第２の条件付きアクセスモジュールとを持つ少なくとも１のヘッドエンドを有する。前記ヘッドエンドは更に、受信器が前記第２の信号を復号化する権利を持つか否かを決定する権利化モジュールを有する。前記権利化モジュールによる肯定的な決定の際には、前記送信局は、前記第２の信号を復号化することを可能とする権利コードを前記受信器に送信する。
【００１８】
それ故、受信器が送信局によって送信された伝送信号を受信し復号化し、該受信器が埋め込まれたセキュリティ機能モジュールと着脱可能なセキュリティ機能モジュールとの両方を持つようなシステムに対するニーズが存在する。前記送信局からの伝送情報が前記着脱可能なセキュリティ機能モジュールの利用可能性にかかわらずデフォルトのレベルで復号化されることができるようにデフォルトモードを提供する埋め込まれたセキュリティ機能モジュールに対するニーズが存在する。伝送情報へのアクセスのレベルの変化を提供するニーズが存在する。存在するセキュリティ機能モジュールの恒久的なディスエーブルを必要とすることなく、権利を持たないユーザが制限された伝送情報を視聴することを防ぐニーズが存在する。
【００１９】
本発明の上述の及び他の目的、特徴及び利点は、以下の添付する図と共に為される本発明の実施例のより詳細な説明に照らしてより明らかになるであろう。
【発明を実施するための最良の形態】
【００２０】
ここで図を見ると、幾つかの図を通して同様な参照番号は同様の又は同一の要素を示し、送信局によって送信される暗号化された伝送情報を復号化する先行技術のシステムが図１に示される。
【００２１】
図１を参照すると、１０において示される先行技術のシステムは、ヘッドエンド１２を持ち、受信器１４に信号を送信する送信局を含む。前記送信局は典型的にケーブルテレビジョン（ＣＡＴＶ）サービスのプロバイダである。受信器１４は典型的にセットトップボックスである。伝送情報が伝送されるケーブルは、前記セットトップボックスと前記送信システムとの間を走る。前記セットトップボックスは更に、該伝送情報が受信され復号化されたときに前記伝送情報を視聴するためのＴＶ又はＶＣＲと通信している。条件付きアクセス（ＣＡ）システムとして知られるセキュリティシステムは、伝送情報を権利を持たない受信器からアクセスされることから守るために備えられる。図１に示される前記システムのＣＡシステムは、ＣＡモジュール１６及びＣＡモジュール１８から成る。ＣＡモジュール１６は前記送信局のヘッドエンドに設置される。ＣＡ１６は伝送のために前記信号のコンテンツを暗号化し、一方ＣＡ１８は視聴のため受信された信号を復号化する。ＣＡ１８は常設のコンポーネントとしてセットトップボックス内に埋め込まれる。
【００２２】
他の先行技術のシステムが図２に示される。示される先行技術のシステム２０は、ヘッドエンド２２及びセットトップボックス２４を含む。ＣＡモジュール２６はヘッドエンド２２に設置され、ＣＡモジュール２８はセットトップボックス２４に設置される。ＣＡモジュール２８は着脱可能なスマートカードである。ＣＡモジュール２８は異なるスマートカードと交換されることができる。
【００２３】
ここで図３を参照すると、本発明のシステムの実施例が示される。本発明のシステム５０は、ヘッドエンド５２及びセットトップボックス５４を持つ送信局を提供する。セットトップボックス５４は、ケーブルを介して、又は衛星椀形アンテナによって受信される電波のような無線手段を介して送信局５２から伝送情報を受信する。送信局５２は２つの信号を送信する。第１のＣＡモジュール５６は第１の信号を暗号化する。第２のＣＡモジュール５８は第２の信号を暗号化する。
【００２４】
前記セットトップボックスは、埋め込まれたＣＡモジュール６０、及び前記送信局によって送信された信号を復号化するための着脱可能なＣＡモジュール６２を有する、ハイブリッドな条件付きアクセスのアーキテクチャを提供する。前記セットトップボックスは、ＣＡモジュール６２を係合させ、ＣＡモジュール６２を前記セットトップボックスに連結するための標準的なインタフェースを備えられる。
【００２５】
動作中は、最初、前記セットトップボックスは前記送信局から、ＣＡモジュール５６によって暗号化された信号を受信し、埋め込まれたＣＡモジュール６０を介して前記第１の暗号化された信号を復号化する。ＣＡモジュール６０は、着脱可能なモジュールがイネーブルである場合又は利用不可能である場合であっても、前記送信局からの伝送信号を復号化するためのデフォルトの条件付きアクセス機能を提供する。
【００２６】
ＣＡモジュール６２をイネーブルにする際、再初期化ユニット６４は、前記受信された伝送情報をＣＡモジュール６２が復号化することを可能とするために前記セットトップボックスを再初期化することにより前記セットトップボックスをリセットし、送信局５２に変更信号メッセージを送信するようにセットトップボックス５４に命令し、ＣＡモジュール６０による前記第１の信号の復号化を中止する。前記変更信号メッセージは、前記送信局に、セットトップボックス５４が前記第２の信号を復号化する準備ができていることを通知する。
【００２７】
送信局５２のヘッドエンドは、前記変更信号メッセージを受信すると、前記セットトップボックスが前記第２の信号を受信する権利があるか否かを決定する。前記決定は、データベースに記録された、前記送信局によって提供されるサービスに対する契約料金を前記セットトップボックスの所有者が支払ったか否かのような、前記送信局の管理者によって設定された基準に従って為される。
【００２８】
肯定的な決定の際には、前記ヘッドエンドは、前記セットトップボックスが前記第２の信号を復号化することを可能とするであろう権利コードを送信する。セットトップボックス５４が前記権利コードと共に前記第２の信号を受信すると、ＣＡモジュール６２は前記第２の信号の復号化を続行する。
【００２９】
好適な実施例のセットトップボックスにおいては、着脱可能なＣＡモジュール６２は効率的な製造及び配布を提供する標準的なモジュールである。このことは、操縦性のアップグレード、セキュリティの変更及び新製品について有利である。
【００３０】
図４及び５はそれぞれ、本発明の実施例のセットトップボックス及び送信局によって実行されるステップを示すフロー図の例である。好みや設計上の選択などによって変更例が実装されても良いことは理解されるべきである。
【００３１】
図４を参照しながら、前記セットトップボックスによって実行されるステップがここで説明される。ステップ９８において、セットトップボックス５４を伝送情報を受信するために起動すると、セットトップボックス５４は、セットトップボックス５４のＣＡモジュール６０が前記第１の信号を復号化する準備ができていることを前記送信局に通知するために、前記送信局にメッセージを送信する。
【００３２】
ステップ１００において前記セットトップボックスは前記伝送情報を受信する。好適な実施例においては、前記第１の信号は該第１の信号に関する権利コードと共に受信される。前記第１の信号の権利コードは、前記セットトップボックスが前記第１の信号を受信することを可能とする。他の実施例においては、前記権利コードは、前記セットトップボックスが前記信号を復号化することを可能とするキーデータを提供する。更に他の実施例においては、前記権利コードは上述の機能の両方を可能とする。
【００３３】
決定ステップ１０２において、前記第１の信号の権利コードが受信されたか否かが決定される。否であれば、前記第１の信号は復号化されることができず、制御はステップ１０３に進み、ユーザがいずれの信号をも視聴する権利を与えられていないこと、及びアクセスが拒否されていることを前記セットトップボックスのユーザに通知する。処理は次いでステップ９８に戻る。
【００３４】
前記第１の信号の権利コードが受信されたと決定すると、処理はステップ１０５へ進む。ステップ１０５において、前記第１の信号はＣＡモジュール６０によって復号化される。決定ステップ１１０において、前記セットトップボックスはＣＡモジュール６２がイネーブルにされているか否かを決定する。動作中はＣＡモジュール６２はいちど挿入されると、前記着脱可能なモジュールの挿入又はスイッチの作動によってのように、種々の方法によってイネーブルにされることができる。ＣＡモジュール６２がイネーブルにされていない場合、前記セットトップボックスは前記第１の信号の受信と復号化を続け、処理はステップ１１０へ戻る。ＣＡモジュール６２が起動されていた場合、処理は１１５へ進む。
【００３５】
ステップ１１５において、前記セットトップボックスはリセットされる。ＣＡモジュール６２が前記受信された信号を復号化することを可能とするため、初期化ルーチンが実行される。ステップ１２０において、ＣＡモジュール６０による前記第１の信号の復号化が中止される。ステップ１２５において前記セットトップボックスは、ＣＡモジュール６２が選択され、前記第２の信号を復号化する準備ができていることを前記送信局に通知するために、前記送信局に変更信号メッセージを送信する。ステップ１１５乃至１２５の実行の命令の順序は、設計的事項に従って再構成されても良い。
【００３６】
ステップ１３０において、もし権限があれば、前記セットトップボックスは前記第２の信号についての権利コードを前記送信局から受信する。決定ステップ１３２において、前記第２の信号についての前記第２の信号の権利コードが受信されたか否かが決定される。否であれば、前記第２の信号は復号化されることができず、処理は、前記第１の信号を復号化するために前記セットトップボックスを再初期化し、前記セットトップボックスが前記第１の信号を復号化する準備ができていることを前記送信局に通知するためにステップ１３３へと進む。
【００３７】
ステップ１３２において前記第２の信号の権利コードが受信されたと決定すると、処理はステップ１３５へと進む。ステップ１３５において、ＣＡモジュール６２は前記第２の信号を復号化する。ステップ１４０において、ＣＡモジュール６２が依然イネーブルにされているか否かの決定が為される。前記第２の信号の復号化はＣＡモジュール６２がディスエーブルにされるまで継続する。ＣＡモジュール６２がディスエーブルにされると、前記セットトップボックスは前記第２の信号の復号化を中止し、処理は、前記第１の信号を受信及び復号化するための再初期化のためにステップ１３３へと進む。
【００３８】
次いで、図５を参照しながら、前記送信局によって実行されるステップが以下に説明される。暗号化された前記第１及び第２の信号の連続的な送信の間、前記送信局はステップ２１０において、ＣＡモジュール６０が前記第１のメッセージを復号化する準備ができているというメッセージの受信を待つ。
【００３９】
ステップ２１０において前記メッセージを受信すると、処理はステップ２１５へと進む。ステップ２１５において前記送信局は、前記セットトップボックスが前記第１の信号を復号化する権利があるか否かを決定する。否であれば、処理はステップ２１０に戻る。設計的事項によって、代替としてルーチンは種々のステップを利用して実行されても良い。例えば、該ルーチンはユーザが前記伝送情報のコンテンツを視聴する権利が与えられていないことを該ユーザに通知するために前記セットトップボックスにメッセージを送信し、その後処理がステップ２１０に戻っても良い。また、ステップ２１０及びステップ２１５は１つのステップに結合されても良い。ここでは現対象の権利を持つセットトップボックスから受信されたメッセージだけが認識される。ステップ２１５において、前記セットトップボックスが前記第１の信号を復号化する権利があると確認された場合、処理はステップ２２５へと進む。
【００４０】
ステップ２２５において、第１の信号の権利コードが前記セットトップボックスに送信される。前記第１の信号の権利コードは、前記セットトップボックスが前記第１の信号を復号化することを可能とする。前記第１の信号の権利コードは、一実施例においては、前記セットトップボックスが前記第１の信号を受信することを可能とするために、前記第１の信号の伝送情報にプレフィックスとして付された前記セットトップボックスに対応するアドレスである。他の実施例においては、前記第１の信号の権利コードはＣＡモジュール６０が復号化アルゴリズムを利用することを可能とするキーを含む。該アルゴリズムは、ＣＡモジュール５６によって利用される暗号化アルゴリズムに対応するものである。更に他の実施例においては、前記第１の信号は、権利の確認を要求することなく、前記送信局と通信しているいずれのセットトップボックスによって受信され復号化されることができる。ステップ２２５が終了すると、処理はステップ２３０へ進む。
【００４１】
ステップ２３０は待機ステップであり、ここで前記送信局は、ＣＡモジュール６０がもはや前記第１の信号を復号化せず、ＣＡモジュール６２が前記第２の信号を復号化する準備ができていることを示す、前記セットトップボックスからの変更信号メッセージの受信を待つ。変更信号メッセージを受信すると、処理はステップ２３５へ進む。決定ステップ２３５において、前記送信局は前記セットトップボックスが前記第２の信号を復号化する権利があることを確認する。確認すると、処理はステップ２４０へ進む。
【００４２】
ステップ２４０において、前記送信局は第２の信号の権利コードを前記セットトップボックスへ送信する。前記第２の信号の権利コードは、前記セットトップボックスが前記第２の信号を復号化することを可能とする。前記第２の信号の権利コードは、前記第１の信号の権利コードと同様の方法で機能する。
【００４３】
前記セットトップボックスが前記第２の信号の復号化のための権利がないと決定されると、処理はステップ２２５に戻る。代替として、ルーチンは設計的事項に従って実行されても良い。例えば該ルーチンは、ユーザに該ユーザが前記第２の信号のコンテンツを視聴する権利がないことを通知するために前記セットトップボックスにメッセージを送信するステップを持っても良く、次いで処理は、前記セットトップボックスが視聴のために前記第１の信号を復号化することを可能とするためステップ２２５に戻っても良い。
【００４４】
図４及び５に示された実施例においては、前記セットトップボックスが前記第２の信号を受信し復号化することを可能とされる前に前記第１の信号を受信し復号化することが好ましい。他の実施例においては前記システム及び方法は、前記第２の信号の復号化のためにＣＡモジュール６０を最初に選択するか、又は前記第２の信号の復号化のためにＣＡモジュール６２を最初に選択するかのいずれかを、前記セットトップボックスのユーザが可能とするように変更されても良い。とり得る変更の１つにおいては、前記送信局は、ＣＡモジュール６２が前記第２の信号を復号化することを可能とする前に、前記セットトップボックスの前記送信局からの伝送情報を復号化する権利を確認する。このことは、支払い済みの契約者に属するセットトップボックスを用いた利用のための着脱可能なＣＡモジュール６２の利用を制限する。他の変更においては、着脱可能なＣＡモジュール６２がいずれの互換性のあるセットトップボックスにおいても、該セットトップボックスに関連する権利にかかわらず利用されることができるように、ＣＡモジュール６０及び６２のそれぞれについて個別に権利が確認される。
【００４５】
他の実施例においては、ＣＡモジュール６０は基本アクセスレベルを提供し、ＣＡモジュール６２は付加的なアクセスレベルを提供し前記基本アクセスレベルは提供しない。ＣＡモジュール６２がイネーブルにされている場合、ＣＡモジュール６０及び６２は共に最大範囲のアクセスレベルを提供する。例えば、トランスポートストリームがビデオストリームと２つのオーディオストリームとを含むような伝送情報が提供される。一方のオーディオストリームは英語のものであり、他方のオーディオストリームはスペイン語のものである。ＣＡモジュール６０は英語のオーディオストリームのみを復号化でき、一方でＣＡモジュール６２はスペイン語のオーディオストリームのみを復号化できる。ＣＡモジュール６２の前記受信器への挿入の前には、視聴者にはデフォルトのアクセスが提供され、視聴者は英語のみを聞くことができる。ＣＡモジュール６２を前記受信器に挿入すると、前記視聴者には上級のアクセスが提供され、前記視聴者は両方の言語から選択することができる。
【００４６】
以上に示唆されたように、本実施例は「第１の信号」及び「第２の信号」という語を利用してきたが、これらはそれぞれが複数の信号を有する第１及び第２のパッケージを表しても良い。例えば、信号の第１のパッケージは基本ケーブルチャネルに対応し、信号の第２のパッケージは上級ケーブルチャネルのパッケージに対応しても良い。ケーブルのプロバイダは、多くの異なる第２の即ち上級のパッケージを利用可能としても良い。それぞれのかようなパッケージは、該パッケージについて前記信号を復号化する、特定の着脱可能なＣＡモジュールを持つ。
【００４７】
加えて、前記受信器は幾つかの着脱可能なＣＡモジュールを受信するための１より多いポートを持っても良い。かような着脱可能なモジュールのそれぞれは、個別の上述したような「第２の信号」、言い換えると第３、第４等の信号を受信しても良い。かような着脱可能なモジュールのそれぞれは別個の復号化アルゴリズムを持っても良く、復号化の認可は、上述した処理及び前記送信局との信号の交換と類似したものであっても良い。加えて、埋め込まれたＣＡモジュール及び複数の着脱可能なＣＡモジュールのうちの１つをイネーブルにし、一方でその他をディスエーブルにするための優先方式が考案されても良い。例えば、前記着脱可能なＣＡモジュールのための受信器におけるポートは、特定のケーブルパッケージのための着脱可能なモジュールのみが差し込まれ得るように構成されても良い。複数のモジュールが差し込まれる場合、前記送信局によって認可された最高レベルの上級チャネルが、他の全てのものがディスエーブルにされている間にイネーブルにされても良い。
【００４８】
前記権利の付与の決定は、前記送信局の管理者によって要求されるような、いずれの信号をも復号化する権利については省略されても良いことは予期される。
【００４９】
図４及び図５に示された前記権利の付与の決定は単に例であって、前記送信局の管理の目的に従って、異なる方法が実装されても良い。
【００５０】
ＣＡモジュール６２は、それぞれが前記送信局への異なるアクセスのレベルを提供する複数の着脱可能なモジュールを有しても良く、ＣＡモジュール６０が依然デフォルトモードを提供している間は取り外し可能及び交換可能であることは予期される。
【００５１】
更に、前記送信局は１つの信号を送信し、ここで前記埋め込まれた及び着脱可能なＣＡモジュールは同一の信号に対して異なるレベルのアクセスを提供することも予期される。従って例えば、前記システムは少なくとも１つの信号の暗号化された伝送情報を復号化するものであっても良い。前記システムは前記少なくとも１つの信号の伝送情報を受信するための受信器を有しても良い。前記受信器は、前記受信された伝送情報を復号化するための、第１の埋め込まれた条件付きアクセスモジュールと、前記第２の着脱可能な条件付きアクセスモジュールとを持つ。前記第２の条件付きアクセスモジュールをイネーブルにすることは、前記第２の条件付きアクセスモジュールを前記第１の条件付きアクセスモジュールに優先させる。前記第１の埋め込まれた条件付きアクセスモジュールと前記第２の着脱可能な条件付きアクセスモジュールとは異なる復号化アルゴリズムを持っても良い。単一の信号が受信されるような場合には、前記第１の条件付きアクセスモジュールは信号の特定の態様（上級の放送の「プレビュー」のような）のみを復号化することが可能であっても良く、一方で前記第２の着脱可能な条件付きアクセスモジュールの復号化アルゴリズムは全体の信号を復号化することが可能であり従って前記上級の放送自体を視聴することを可能としても良い。かくして、前記第２の着脱可能な条件付きアクセスモジュールがイネーブルにされている場合、前記視聴者は前記上級の放送を観るであろう。
【００５２】
更に、前記送信局は２より多い信号を送信し、一方前記セットトップボックスは１より多い送信局から伝送情報を受信することも予期される。
【００５３】
更に、前記送信局はいずれの利用可能な媒体を介して信号を送信し、前記信号は暗号化が必要とされるいずれのタイプの信号であっても良いことも予期される。
【００５４】
本発明は好適な実施例を参照しながら詳細に説明されたが、これら実施例は単に例となる応用を示している。従って、添付される請求項によって規定されるような本発明の範囲及び精神内に留まりながらも、いずれの当業者にも多くの変形が為されることができることは、明らかに理解されるべきである。
【図面の簡単な説明】
【００５５】
【図１】ＣＡＴＶサービスのプロバイダの送信局によって送信された暗号化された信号を受信器により復号化する先行技術のシステムのブロック図である。
【図２】ＣＡＴＶサービスのプロバイダの送信局によって送信された暗号化された信号を受信器により復号化する第２の先行技術のシステムのブロック図である。
【図３】本発明による、送信局によって送信された暗号化された信号を受信器により復号化するシステムのブロック図である。
【図４】本発明による、復号化された伝送情報の受信器によって実行されるステップを説明するフロー図の例である。
【図５】本発明による、暗号化された伝送情報の送信器によって実行されるステップを説明するフロー図の例である。
【図４】
2005500752.tif 000003
【図５】
2005500752.tif 000004
【国際公開パンフレット】
2005500752.tif 000005
2005500752.tif 000006
2005500752.tif 000007
2005500752.tif 000008
2005500752.tif 000009
2005500752.tif 000010
2005500752.tif 000011
2005500752.tif 000012
2005500752.tif 000013
2005500752.tif 000014
2005500752.tif 000015
2005500752.tif 000016
2005500752.tif 000017
2005500752.tif 000018
2005500752.tif 000019
2005500752.tif 000020
2005500752.tif 000021
2005500752.tif 000022
【国際公開パンフレット（コレクトバージョン）】
2005500752.tif 000023
【国際調査報告】
2005500752.tif 000024
2005500752.tif 000025
2005500752.tif 000026
2005500752.tif 000027
2005500752.tif 000028